(57)【特許請求の範囲】
【請求項１】
陳列物が陳列される陳列面を備える天板、この天板の周囲を囲むように備えられる段ボール紙からなる筒体および前記筒体の内側に配置され、前記天板を支持する支持体とを有する本体と、
前記本体の周囲を覆い、前記本体に対し着脱可能に装着され、その表面の少なくとも一部に化粧処理が施されている被覆体と、を有し、
前記被覆体は、前記筒体において、前記天板が配置される位置よりも上方の領域となる側壁部の内側面を被覆する内側被覆部を有し、
前記筒体は、その上部に内側に折り返される折返片を有し、前記折返片により前記側壁部が形成されており、
前記天板には側方に向かって突出する突出部が設けられると共に、前記折返片には前記天板を前記筒体の内側に配置した際に前記突出部が嵌まる第１の嵌合穴が設けられており、
前記内側被覆部には前記第１の嵌合穴と対応するような第２の嵌合穴が設けられていることを特徴とする陳列台。
【請求項２】
前記被覆体は、前記本体の一方の側から前記本体を挿入可能な筒形状または袋形状を呈することを特徴とする請求項１記載の陳列台。
【請求項３】
前記支持体は、前記筒体の内側面のうち互いに離間した側面に内接することを特徴とする請求項１または２記載の陳列台。
【請求項４】
前記天板は、前記筒体の内側であり、かつ前記筒体の上縁より下方の位置に配置されていることを特徴とする請求項１，２または３記載の陳列台。
【請求項５】
前記被覆体は、前記段ボール紙より薄く、しかも蓋無し、かつ底無しの形状とされていることを特徴とする請求項１から４のいずれか１項記載の陳列台。
【発明の詳細な説明】
【技術分野】
【０００１】
本発明は、店頭等において商品を売る際に商品を陳列させる陳列台に関する。
【背景技術】
【０００２】
従来から、青果物売り場等の店頭では商品の見栄えを良くするために、商品を陳列台に陳列させて販売している。また、商品を陳列台に陳列させて販売する場合、商品の出所を分かり易くしたり、店頭や商品等の外観をより良くするために、陳列台に装飾を施すことがある。特許文献１には、装飾が施された仕切り板によって、商品が陳列される陳列面を複数の領域に区画することが可能な陳列台が開示されている。
【特許文献１】特開２００６―２０８４４号公報（図１１）
【発明の開示】
【発明が解決しようとする課題】
【０００３】
しかしながら、特許文献１に開示されている陳列台では、仕切り板の外観を変更したい場合、該仕切り板の装飾の上から、再度、新たな装飾を施すか、または、新たな装飾が施された仕切り板を用意する必要がある。また、陳列台の本体部分の外観を変更したい場合、該本体部分の装飾の上から、再度、新たな装飾を施すか、または、新たな装飾が施された本体部分を用意する必要がある。このように、陳列台の外観を新たなものに変更したい場合、その作業に手間がかかるといった問題がある。
【０００４】
本発明は、かかる問題に鑑みてなされたものであり、その目的とするところは、外観を容易に変更することが可能な陳列台を提供しようとするものである。
【課題を解決するための手段】
【０００５】
上記課題を解決するために、本発明の陳列台は、陳列物が陳列される陳列面を備える天板、この天板の周囲を囲むように備えられる段ボール紙からなる筒体および筒体の内側に配置され、天板を支持する支持体とを有する本体と、本体の周囲を覆い、本体に対し着脱可能に装着され、その表面の少なくとも一部に化粧処理が施されている被覆体とを有し、被覆体は、筒体において、天板が配置される位置よりも上方の領域となる側壁部の内側面を被覆する内側被覆部を有し、筒体は、その上部に内側に折り返される折返片を有し、折返片により側壁部が形成されており、天板には側方に向かって突出する突出部が設けられると共に、折返片には天板を筒体の内側に配置した際に突出部が嵌まる第１の嵌合穴が設けられており、内側被覆部には第１の嵌合穴と対応するような第２の嵌合穴が設けられているものである。
【０００６】
このように構成した場合には、被覆体を他の被覆体に換えることで、容易に陳列台の外観を変更することが可能となる。また、本体は支持体によって支持されているため、本体の上下方向に対する耐荷重性の向上を図ることが可能となる。また、筒体は段ボール紙からなるため、本体の強度を確保しつつ、軽量化を図ることが可能となる。また、被覆体は、筒体において、天板が配置される位置よりも上方の領域となる側壁部の内側面を被覆する内側被覆部を有するものであるため、側壁部の内側を含め、筒体の表面を被覆体によって覆うことができる。このため、陳列台の美観を向上させることが可能となる。また、筒体は、その上部に内側に折り返される折返片を有し、折返片により側壁部が形成されているものであるため、折返片により側壁部が二重構造となるため、筒体の強度を向上させることが可能となる。また、天板には側方に向かって突出する突出部が設けられると共に、折返片には天板を筒体の内側に配置した際に突出部が嵌まる第１の嵌合穴が設けられているため、筒体に対して天板を固定することが可能となる。このため、天板が安定した状態を維持することが可能となる。また、内側被覆部には第１の嵌合穴と対応するような第２の嵌合穴が設けられているため、筒体を被覆体で被覆した状態で天板を筒体に対して固定することが可能となる。このため、被覆体が筒体から脱落しにくくなると共に、天板の状態を安定化させることが可能となる。
【０００７】
また、他の発明は、上述の発明に加えて更に、被覆体は、本体の一方の側から本体を挿入可能な筒形状または袋形状を呈するものである。このように構成した場合には、被覆体を本体に対して容易に着脱することが可能となる。また、被覆体を本体から脱落しないように取り付けることが可能となる。
【０００８】
さらに、他の発明は、上述の発明に加えて更に、支持体は、筒体の内側面のうち互いに離間した側面に内接するものである。このように構成した場合には、本体の側方に対する剛性を向上させることが可能となる。
【０００９】
また、他の発明は、上述の発明に加えて更に、天板は、筒体の内側であり、かつ筒体の上縁より下方の位置に配置されているものである。このように構成した場合には、本体の上縁部近傍には、天板の周囲を囲む壁面が形成されるため、天板に載置された陳列物の落下を防止することが可能となる。
【００１４】
さらに、他の発明は、上述の発明に加えて更に、被覆体は、段ボール紙より薄く、しかも蓋無し、かつ底無しの形状とされているものである。このように構成した場合には、被覆体の本体に対する着脱が容易となると共に、陳列台の軽量化を図ることが可能となる。
【発明の効果】
【００１５】
本発明によると、陳列台の外観を容易に変更することが可能となる。
【発明を実施するための最良の形態】
【００１６】
（第１の実施の形態）
以下、本発明の第１の実施の形態に係る陳列台１０について、図面を参照しながら説明する。なお、以下の説明（各実施の形態に共通）において、図１〜図９に示す矢示Ｘ１方向を前、矢示Ｘ２方向を後、このＸ１方向とＸ２方向と水平方向で直交する方向となる矢示Ｙ１方向を左、矢示Ｙ２方向を右、このＸＹ平面と直交する方向の矢示Ｚ１方向を上および矢示Ｚ２方向を下とそれぞれ規定する。
【００１７】
図１は、本発明の第１の実施の形態に係る陳列台１０の斜視図である。図２は、本発明の第１の実施の形態に係る陳列台１０の構成を示す分解斜視図であり、本体１４と被覆体１６を分離させた状態を示す図である。図３は、本発明の第１の実施の形態に係る陳列台１０に用いられる本体１４の分解斜視図である。図４は、図３中の支持体２２の分解斜視図である。
【００１８】
図１に示すように、陳列台１０は、商品を陳列するための水平面となる陳列面１２を有する略直方体形状を呈する台である。なお、陳列台１０を傾けて配置するときは陳列面１２は斜面となる。図２に示すように、陳列台１０は、本体１４と、本体１４の外側面を覆う被覆体１６とを有する。本体１４は、略直方体形状を呈しており、その上端部近傍に上述した陳列面１２を有すると共に、底部は側面から伸びた部材によって塞がれている。被覆体１６は四角形の断面を有する筒形状を呈し、蓋無し、底部無しの筒状となっている。また、被覆体１６の表面には不図示の装飾が施されている。被覆体１６は、例えば、本体１４の上方から本体１４の外側面を覆うように配置される。被覆体１６は、その内周縁の形状が、本体１４の外形形状と略同一形状となるように形成されている。そのため、被覆体１６が本体１４の外側に配置されても、被覆体１６は本体１４から容易に外れることはない。本実施の形態では、被覆体１６の材料として、ボール紙等の厚紙が用いられているが、被覆体１６の材料は厚紙に限定されるものではなく、木や樹脂等の他の材料を用いても良い。
【００１９】
本体１４は、図３に示すように、陳列面１２を有する天板１８と、天板１８の周囲に備えられる底部無しの筒体２０と、筒体２０の内側に配置され、天板１８を支持する支持体２２とを有する。また、図２に示すように、筒体２０において天板１８より上方に位置する部分は側壁部２３となっている。この側壁部２３は天板１８の周囲を囲むような壁面を形成している。本実施の形態では、天板１８、筒体２０および支持体２２の材料として、段ボール紙が用いられている。なお、筒体２０は、底部無しとされているが、底部有りとしても良い。
【００２０】
天板１８は、矩形状の平板であり、左右両側のそれぞれの端面からは、前後に並んで２つずつ合計４つの突出部２４が外方に向かって突出している。当該突出部２４は、矩形状の形態を有している。筒体２０は、底部無しの筒形状の筒状部２６と、筒状部２６の上方に設けられる折返片２８とを有する。筒状部２６は、四角形の断面を有する筒形状を呈している。また、筒状部２６は、その内周縁の形状が、天板１８の外形形状と略同一形状に形成されている。なお、筒状部２６は底部無しとされているが、底部有りとしても良い。折返片２８は、筒状部２６の各辺に対応するように、合計４つ設けられている。各折返片２８は、筒状部２６の上端面と連接しており、筒状部２６との境界線Ａを境に折り返し可能となっている。また、各折返片２８は、先端側の先端部３０と、筒状部２６側の付根部３１との２つの領域を有し、先端部３０は、付根部３１との境界線Ｂを境に折返し可能となっている。
【００２１】
各先端部３０の両側面は、先端側に向かって先端部３０の幅が小さくなるようなテーパ状に形成されたテーパ面３０ａ，３０ａとなっている。以下の説明において、前後の折返片を短折返片２８ａ、左右の折返片を長折返片２８ｂとそれぞれいう。短折返片２８ａは、筒状部２６における前後の面と同じ幅寸法を有する。長折返片２８ｂは、筒状部２６における左右の面と同じ幅寸法を有する。本実施の形態では、筒状部２６における左右の面の方が、筒状部２６における前後の面より大きな幅寸法を有する。そのため、長折返片２８ｂの方が、短折返片２８ａよりも大きな幅寸法を有する。各長折返片２８ｂにおける付根部３１の上端部近傍には、矩形状の第１の嵌合穴３２が設けられている。具体的には、第１の嵌合穴３２は、その矩形を形成する４辺の内の上辺が境界線Ｂと一致するように、先端部３０と隣接するように設けられている。また、第１の嵌合穴３２は、一対の長折返片２８ｂにおいてそれぞれ対向するように、前後に並んで２つずつ設けられている。
【００２２】
図３に示すように、支持体２２は平板を前後および左右に交差するように配置させた形態を有している。また、図４に示すように、支持体２２は、３枚の横板３４と、２枚の縦板３６とから構成されている。横板３４は、左右方向に対して平行に前後に３枚並べられている。また、縦板３６は前後方向に対して平行に左右に２枚並べられている。横板３４は矩形状の平板であり、その下方には２つの切り込み３４ａが形成されている。切り込み３４ａは、横板３４の下端面において、該横板３４を左右方向に略３等分する２つの箇所から上方に向かって該横板３４の上下方向略中央に至るまで切り込まれている。縦板３６は矩形状の平板であり、その上方には３つの切り込み３６ａが形成されている。切り込み３６ａは、縦板３６の上端面において、縦板３６を前後方向に略４等分する３つの箇所から下方に向かって該縦板３６の上下方向略中央に至るまで切り込まれている。
【００２３】
また、図４に示すように、横板３４と縦板３６は、それらを前後および左右に交差するように配置させ、切り込み３４ａおよび切り込み３６ａを介して、互いに嵌め合わされる。具体的には、前後に並べられた各横板３４の２つの切り込み３４ａと左右に並べられた２つの縦板３６の対向する一対の切り込み３６ａとを介して、横板３４と縦板３６とが互いに嵌め合わされる。横板３４と縦板３６とが互いに嵌め合わされた状態では、切り込み３４ａに縦板３６における切り込み３６ａの下方部分が嵌まり込むと共に、切り込み３６ａに横板３４の切り込み３４ａの上方部分が嵌まり込んでいる。また、切り込み３４ａおよび切り込み３６ａは、それぞれ横板３４および縦板３６の略中央部分に至るように形成されているため、横板３４と縦板３６を嵌め合わせて形成された支持体２２を構成する横板３４と縦板３６の上端面および下端面は面一となる。
【００２４】
図５は、本体１４の構成を示す分解斜視図であり、筒体２０と天板１８とを分離させた状態を示す図である。図６は、本体１４の斜視図である。
【００２５】
図５に示すように、支持体２２は筒体２０の内部に配置される。支持体２２の横板３４と縦板３６とで区切られた区画は、底部付きの筒状部２６が段ボール箱として利用され、しかもビール瓶などの縦長の形状のものを運ぶ際には、品物が入る領域として利用しても良い。横板３４の幅寸法は、筒体２０の内周縁における短手方向の幅寸法と略同一に形成されている。また、縦板３６の幅寸法は、筒体２０の内周縁における長手方向の幅寸法と略同一に形成されている。そのため、支持体２２を筒体２０の内部に配置した状態では、横板３４の側端面３４ｂおよび縦板３６の側端面３６ｂ（図４参照）は、それぞれ筒体２０の内周面に当接する。
【００２６】
また、筒状部２６の高さ寸法は支持体２２の高さ寸法よりも大きくなっているため、支持体２２が筒体２０の内部に配置された状態では、筒状部２６の上縁は支持体２２の上端面より上方に位置する。また、筒体２０の内側に支持体２２を配置した状態で、折返片２８が筒体２０の内側に向かって折り返される。具体的には、境界線Ａを境にして、付根部３１が筒状部２６の内側に向かって山折りされ、さらに、境界線Ｂを境にして、先端部３０が筒状部２６の内側に向かって谷折りされる。先端部３０は、筒体２０の側面に対して略垂直方向内側に突出する形状となるように折り返される。
【００２７】
付根部３１の高さ方向の寸法は、支持体２２を筒体２０の内部に配置した状態において、筒状部２６における支持体２２より上方に位置する部分の高さ寸法と略同一とされている。このため、先端部３０を内側に折り返した状態では、先端部３０の内側面３０ｂ（図３参照）は支持体２２の上端面と接触する。この筒状部２６における支持体２２より上方に位置する部分と付根部３１とで側壁部２３が形成されている。また、折返片２８を折り返した状態では、隣接する短折返片２８ａと長折返片２８ｂとに形成されるテーパ面３０ａが互いに当接する。そのため、本体１４の周方向に対する剛性が向上する。
【００２８】
そして、図５に示すように、各折返片２８が折り返された状態で、天板１８が支持体２２および先端部３０の上方に配置される。この際、天板１８の各突出部２４が対応する第１の嵌合穴３２にそれぞれ嵌め込まれる。また、上述したように、第１の嵌合穴３２は、先端部３０と隣接するように設けられている。このため、折返片２８を折り返した状態では、第１の嵌合穴３２は高さ方向において、支持体２２の直上に位置する。したがって、突出部２４が第１の嵌合穴３２に嵌め込まれた状態では、天板１８の下面１８ａは、先端部３０の外側面３０ｃ（図５参照）と当接すると共に、内側面３０ｂは支持体２２の上端面と近接した状態となる。したがって、天板１８の陳列面１２に商品が陳列されても、その荷重を支持体２２で受け止めることが可能となる。
【００２９】
次に、陳列台１０の組み立て方法について説明する。
【００３０】
まず、図４に示すように、切り込み３４ａおよび切り込み３６ａを介して横板３４と縦板３６とを嵌め合わせて支持体２２を形成する。次に、図３および図５に示すように、支持体２２の上方から筒体２０を被せて、または筒体２０に支持体２２を挿入して、該筒体２０の内側に支持体２２を配置させる。なお、筒体２０の下方から支持体２２を該筒体２０の内側に挿入させて、筒体２０の内側に支持体２２を配置させるようにしても良い。
【００３１】
次に、境界線Ａを境にして各折返片２８の付根部３１を筒状部２６の内側に向かって山折りする。次に、境界線Ｂを境にして各折返片２８の先端部３０を筒状部２６に対して略直角となるように内側に向かって谷折りする。次に、図５に示すように、各突出部２４が対応する第１の嵌合穴３２に嵌まるように、天板１８を支持体２２の上方に配置する。
【００３２】
以上のようにして、本体１４が形成される（図６参照）。次に、図１および図２に示すように、本体１４の上方から被覆体１６を被せて、該被覆体１６の内側に本体１４を配置させる。以上のようにして、陳列台１０が完成する。なお、被覆体１６の下方から本体１４を該被覆体１６の内側に挿入させて、被覆体１６の内側に本体１４を配置させるようにしても良い。
【００３３】
以上のように構成された陳列台１０では、被覆体１６を本体１４の外側に被せるだけで本体１４に被覆体１６を取り付けることができる。また、被覆体１６を上下に移動させるだけで、陳列台１０から被覆体１６を取り外すことができる。このため、被覆体１６を本体１４に対して容易に着脱することができる。その結果、陳列台１０の外観を変更したい場合、被覆体１６を単純な作業で他の被覆体１６に換えることができ、容易に陳列台１０の外観を変更することが可能となる。
【００３４】
また、陳列台１０では、被覆体１６は、両端が開口した断面四角形の筒形状を呈している。したがって、被覆体１６を本体１４に対して容易に着脱することが可能となる。また、被覆体１６は、その内周縁の形状が、本体１４の外形形状と略同一形状となるように形成されている。そのため、被覆体１６が本体１４から簡単に脱落することがなくなる。
【００３５】
また、陳列台１０では、天板１８の下方には支持体２２が配置されている。このため、天板１８は支持体２２によって支持されることとなり、本体１４の上下方向に対する耐荷重性が向上する。また、支持体２２を構成する横板３４の側端面３４ｂおよび縦板３６の側端面３６ｂは、それぞれ筒体２０の内周面に当接している。このため、本体１４の側方に対する剛性が向上する。
【００３６】
また、陳列台１０は、本体１４の上縁部近傍に側壁部２３を有している。このため、天板１８の周囲には壁面が形成され、天板１８に載置された陳列物の落下を防止することが可能となる。
【００３７】
また、陳列台１０は、その上部に内側に折り返される折返片２８を有している。このため、折返片２８により側壁部２３が二重構造となり、筒体２０の強度が向上する。また、折返片２８を折り返した状態では、隣接するテーパ面３０ａ同士が当接する。このため、筒体２０の周方向に対する剛性が向上する。
【００３８】
また、陳列台１０では、天板１８には突出部２４が設けられていると共に、筒体２０には第１の嵌合穴３２が設けられている。このため、筒体２０に対して天板１８を固定した状態で、天板１８を筒体２０の内部に配置させることが可能となる。したがって、天板１８が安定した状態を維持することが可能となる。
【００３９】
また、本体１４は段ボール紙によって形成されている。したがって、本体１４の強度を確保しつつ、軽量化を図ることが可能となる。なお、天板１８および支持体２２は段ボール紙ではなく、他の紙部材としたり木製部材または樹脂部材としても良い。
【００４０】
（第２の実施の形態）
以下、本発明の第２の実施の形態に係る陳列台４０について、図面を参照しながら説明する。なお、第２の実施の形態に係る陳列台４０において、第１の実施の形態と共通する事項については、同一の符号を付すと共に、その説明を省略または簡略化する。
【００４１】
図７は、本発明の第２の実施の形態に係る陳列台４０の斜視図である。図８は、本発明の第２の実施の形態に係る陳列台４０の構成を示す分解斜視図であり、陳列台４０を構成する天板１８と被覆体４２を残りの部分から分離させた状態を示す図である。図９は、本発明の第２の実施の形態に係る陳列台４０の構成を示す分解斜視図であり、陳列台４０を構成する天板１８を残りの部分から分離させた状態を示す図である。
【００４２】
図７に示すように、陳列台４０は、商品を陳列するための陳列面１２を有する略直方体形状を呈する台である。また、陳列台４０において天板１８より上方に位置する部分は被覆側壁部５６となっている。図８に示すように、陳列台４０は、本体１４を構成する筒体２０と陳列面１２と、本体１４の外側面を覆う被覆体４２とを有する。また、被覆体４２の表面には不図示の装飾が施されている。被覆体４２は蓋無し、底無しで、筒体２０と略同一の四角形断面を有する筒形状を呈している。すなわち、被覆体４２は、筒状部４４と、折返片４６とを有する。被覆体４２は、例えば、筒体２０の外側面を覆うように配置される。被覆体４２は、その内周縁の形状が、筒体２０の外形形状と略同一形状となるように形成されている。
【００４３】
筒状部４４は、四角形の断面を有する筒形状を呈している。折返片４６は、筒状部４４の各面に対応するように、筒状部４４の上方に合計４つ設けられている。折返片４６は折返片２８と略同一の形態を有している。すなわち、各折返片４６は、境界線Ｃを境に筒状部４４に対して折り返し可能となっている。また、各折返片４６は、先端部４８と、内側被覆部となる付根部５０との２つの領域を有し、先端部４８は、付根部５０との境界線Ｄを境に折返し可能となっている。各先端部４８の両側面は、テーパ状に形成されたテーパ面４８ａ，４８ａとなっている。以下の説明において、前後の折返片を短折返片４６ａ、左右の折返片を長折返片４６ｂとそれぞれいう。各長折返片４６ｂにおける付根部５０の上端部近傍には、第１の嵌合穴３２と略同一形状の第２の嵌合穴５２が設けられている。第２の嵌合穴５２は、一対の長折返片４６ｂにおいてそれぞれ対向するように、前後に並んで２つずつ設けられている。
【００４４】
本実施の形態では、図８に示すように、被覆体４２は、第１の実施の形態の筒状部２６と同様の形状をしており、その材料は段ボール紙ではなく厚さが薄い装飾紙となっている。この被覆体４２は、段ボール紙でできた筒体２０の外側に配置される。被覆体４２は筒体２０と略同一の四角形断面を有する筒形状を呈しているため、被覆体４２を筒体２０の外側に配置した状態では、該被覆体４２は筒体２０から容易に外れることはない。また、筒状部４４の高さ寸法は筒体２０の筒状部２６と略同一の高さ寸法を有している。このため、被覆体４２を筒体２０の外側に配置した状態では、折返片４６は筒状部２６の上縁より上方に位置している。そして、折返片２８が折り返された筒体２０の外側に被覆体４２を配置させた状態で、折返片４６が筒体２０の内側に向かって折り返される。具体的には、境界線Ｃを境にして、付根部５０が筒状部４４の内側に向かって山折りされ、さらに、境界線Ｄを境にして、先端部４８が筒状部４４の内側に向かって谷折りされる。
【００４５】
このように折返片４６が折り返されると、先端部４８および付根部５０は、それぞれ先端部３０および付根部３１の外表面を覆うことになる。すなわち、被覆体４２が筒体２０の外側を被覆した状態となる。この場合、側壁部２３の外側面および内側面は、それぞれ筒状部４４における上側部分および付根部５０によって被覆され、側壁部２３の表面を被覆体４２によって被覆した被覆側壁部５６が形成される。また、第２の嵌合穴５２は第１の嵌合穴３２と重なって１つの穴を形成している。以下、この重なった穴を貫通穴５７という。
【００４６】
折返片４６を折り返した状態では、隣接する短折返片４６ａと長折返片４６ｂとに形成されるテーパ面４８ａが互いに当接する。そして、図９に示すように、各折返片４６が各折返片２８の外側に重なった状態で、天板１８が支持体２２および先端部４８の上方に配置される。この際、各突出部２４が対応する貫通穴５７にそれぞれ嵌め込まれる。突出部２４が貫通穴５７に嵌め込まれた状態では、天板１８の下面１８ａは、先端部４８の外側面４８ｂと当接すると共に、支持体２２の上端面と近接した状態となる。
【００４７】
次に、陳列台４０の組み立て方法について説明する。
【００４８】
まず、第１の実施の形態と同様に、支持体２２を形成し、当該支持体２２の外側に筒体２０を配置させると共に、各折返片２８を折り曲げる。次に、筒体２０の上方から被覆体４２を被せて、該被覆体４２の内側に支持体２２を有する筒体２０を配置させる。次に、境界線Ｃを境にして各折返片４６の付根部５０を筒状部４４の内側に向かって山折りする。さらに、境界線Ｄを境にして各折返片４６の先端部４８を筒状部４４に対して略直角となるように内側に向かって谷折りする。次に、各突出部２４が対応する貫通孔５７に嵌まるように、天板１８を支持体２２の上方に配置する。以上のようにして、陳列台４０が完成する。なお、支持体２２の外側に筒体２０を配置させ、さらにその外側に被覆体４２を配置させてから、折返片２８および折返片４６を同時に折り返すようしても良い。
【００４９】
以上のように構成された陳列台４０では、被覆体４２を筒体２０の外側に被せ、その上方に天板１８を配置させるだけで、本体１４に被覆体１６を取り付けることができる。また、上記とは逆の工程により、被覆体４２を陳列台４０から取り外すことができる。このため、被覆体４２を本体１４に対して容易に着脱することができる。その結果、陳列台４０の外観を変更したい場合、被覆体４２を単純な作業で他の被覆体４２に交換することができ、容易に陳列台４０の外観を変更することが可能となる。
【００５０】
また、陳列台４０では、側壁部２３の表面を被覆体４２によって被覆した被覆側壁部５６が形成されている。そのため、側壁部２３の表面は常に被覆体４２によって被覆された状態となる。したがって、陳列台４０の美観をより向上させることが可能となる。
【００５１】
また、陳列台４０では、付根部５０には第１の嵌合穴３２と対応するような第２の嵌合穴５２が設けられている。このため、本体１４を被覆体４２で被覆すると、第２の嵌合穴５２は第１の嵌合穴３２と重なって貫通穴５７が形成される。したがって、筒体２０を被覆体４２で被覆した状態で、天板１８を筒体２０に対して固定することが可能となる。このため、被覆体４２が筒体２０から脱落しにくくなると共に、天板１８の状態を安定化させることが可能となる。
【００５２】
以上、本発明の一実施の形態について説明したが、本発明は上述の形態に限定されることなく、種々変形した形態にて実施可能である。例えば、本体１４を段ボール紙からなるものとしたが、筒体２０のみを段ボール紙とする一方、他の部材である天板１８や支持体２０は、他の材質の紙としたり、木製としたり、樹脂製としても良い。
【００５３】
上述の各実施の形態では、筒体２０および被覆体１６，４２は共に筒形状を呈しているが、これらの形状は筒形状に限定されるものではなく、例えば、有底の袋形状もしくは箱形状としても良い。また、被覆体１６，４２の表面に施される化粧処理としては、印刷を施したり、化粧シートもしくは化粧合板を貼り合わせたりすることが可能である。
【００５４】
また、上述の各実施の形態では、陳列台１０，４０の外形形状は略直方体形状を呈しているが、陳列台１０，４０の外形形状は略直方体形状に限定されるものではなく、例えば、円柱形状や五角柱形状等の他の形状としても良い。
【００５５】
また、上述の各実施の形態では、筒体２０には折返片２８が設けられているが、折返片２８を設けないようにしても良い。また、上述の実施の形態では、陳列台１０，４０として示したが、陳列台ではなく、単に品物を運んだり、品物を保管する什器として使用しても良い。
【００５６】
また、上述の各実施の形態では、支持体２２は３枚の横板３４と２枚の縦板３６とから構成されているが、横板３４および縦板３６のそれぞれの数は上記の数に限定されるものではなく、例えば、縦板３６の数を３枚にする等、横板３４および縦板３６の数を他の数としても良い。また、支持体２２は格子状に形成されているが、支持体２２の形状は格子状に限定されるものではなく、例えば、角部が筒体２０の各内側面に接触するような断面菱形の筒状体とする等、他の形状としても良い。また、支持体２２の格子形状を筒体２０の面に対して斜めとなるような格子形状としても良い。
【００５７】
また、図１０に示すように、例えば、陳列台１０の後方側に壁部６０を取り付け可能な構成としても良い。この場合、天板１８の後方側に突出部２４を設け、かつ短折返片２８ａに第１の嵌合穴３２を設けると共に、この第１の嵌合穴３２と対応するように壁部６０の下方に穴を設け壁部６０を差し込み可能にするのが好ましい。また、壁部６０を陳列台１０の後方側のみでなく側方に設けるようにしても良い。また、この陳列台１０，４０の段ボール紙で形成された部分は、品物が運ばれるときに使用される段ボール箱の一部として兼用しても良い。
【産業上の利用可能性】
【００５８】
本発明の陳列台は、小売業、卸売業、サービス業もしくは製造業等の商品の提供を行う産業全般において利用することができる。
【図面の簡単な説明】
【００５９】
【図１】本発明の第１の実施の形態に係る陳列台の斜視図である。
【図２】本発明の第１の実施の形態に係る陳列台の構成を示す分解斜視図であり、本体と被覆体を分離させた状態を示す図である。
【図３】本発明の第１の実施の形態に係る陳列台に用いられる本体の分解斜視図である。
【図４】図３中の支持体の分解斜視図である。
【図５】図２中の本体の構成を示す分解斜視図であり、筒体と天板とを分離させた状態を示す図である。
【図６】図２中の本体の斜視図である。
【図７】本発明の第２の実施の形態に係る陳列台の斜視図である。
【図８】本発明の第２の実施の形態に係る陳列台の構成を示す分解斜視図であり、陳列台を構成する天板と被覆体を残りの部分から分離させた状態を示す図である。
【図９】本発明の第２の実施の形態に係る陳列台の構成を示す分解斜視図であり、陳列台を構成する天板を残りの部分から分離させた状態を示す図である。
【図１０】本発明の変形例を示す図である。
【符号の説明】
【００６０】
１０，４０…陳列台
１２…陳列面
１４…本体
１６，４２…被覆体
１８…天板
２０…筒体
２２…支持体
２３…側壁部
２４…突出部
２８…折返片
３２…第１の嵌合穴
５０…付根部（内側被覆部）
５２…第２の嵌合穴
【図１】
0005196944.tif 000002
【図２】
0005196944.tif 000003
【図３】
0005196944.tif 000004
【図４】
0005196944.tif 000005
【図５】
0005196944.tif 000006
【図６】
0005196944.tif 000007
【図７】
0005196944.tif 000008
【図８】
0005196944.tif 000009
【図９】
0005196944.tif 000010
【図１０】
0005196944.tif 000011